(57)【要約】【課題】日月曜日毎の参照時期と参照頻度と参照順序を組合せてユーザが利用するＷｅｂコンテンツを予測して表示すること。【解決手段】ポータルＷｅｂサーバ４が、Ｗｅｂコンテンツへログインしたアクセス履歴情報をアクセス履歴ＤＢ７に格納し、アクセス履歴情報に基づいてアクセス統計ＤＢ５に統計情報を格納し、前記統計情報に基づいてユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツＤＢ６に格納し、クライアントＰＣ１がポータルサイトにアクセスしたとき、ＷｅｂコンテンツＤＢ６を参照し、アクセスされた利用者の総合重み付け値の高い順に複数のＷｅｂコンテンツの概要を表示するポータルサイト画面レイアウトカスタマイズシステム。【選択図】図１
2016051346.tif 000002
【特許請求の範囲】
【請求項１】
ポータルサイトの利用者が使用するＷｅｂブラウザを搭載したクライアントコンピュータとインターネット回線を介して接続され、前記利用者からのアクセス履歴情報を格納するアクセス履歴データベースと、アクセス履歴データベースに格納したアクセス履歴情報に基づき、利用者のログインユーザ名と該利用者がアクセスしたコンテンツを示すアクセスＷｅｂコンテンツと該アクセスＷｅｂコンテンツにアクセスした日付と月と曜日を示す日月曜日とログインから表示したＷｅｂコンテンツ順を示すＷｅｂコンテンツ順序情報とを含む統計情報を格納したアクセス統計データベースと、利用者がアクセスしたＷｅｂサイトのコンテンツを格納するＷｅｂコンテンツデータベースと、前記アクセス統計データベース及びＷｅｂコンテンツデータベースからログインユーザの表示するＷｅｂコンテンツを検索し、Ｗｅｂブラウザに検索したＷｅｂコンテンツを表示するポータルＷｅｂサーバを備えたコンピュータシステムであって、
該ポータルＷｅｂサーバが、
ユーザ毎の複数のＷｅｂサイトへログインしたアクセス履歴情報をアクセス履歴データベースに格納する第１工程と、
該アクセス履歴情報に基づいて前記アクセス統計データベースに前記統計情報を格納する第２工程と、
該アクセス統計データベースに格納した統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツデータベースに格納する第３工程と、
利用者がクライアントコンピュータのＷｅｂブラウザを用いてポータルサイトにアクセスしたとき、前記Ｗｅｂコンテンツデータベースを参照し、アクセスされた利用者の前記総合重み付け値の高い順に複数のＷｅｂコンテンツの概要を表示する第４工程とを実行することを特徴とするポータルサイト画面レイアウトカスタマイズシステム。
【請求項２】
前記アクセス統計データベースが、
利用者のユーザ名を表すログインユーザ名と、該ユーザがアクセスした月を表す月とユーザがアクセスしたコンテンツ名を表すＷｅｂコンテンツと、該当月におけるアクセス数を表す月別アクセス数（Ａ）と、該当のコンテンツに対する該当ユーザの月平均のアクセス数を表す月別ユーザ別アクセス数平均値（Ｂ）と、月別アクセス数（Ａ）を月別ユーザ別アクセス数平均値（Ｂ）で除算したアクセス数重み値を表す月別アクセス数重み値（Ｃ）と、該当ユーザが当該コンテンツを表示した際の月別表示順序平均値（Ｄ）と、ユーザ別表示順序の平均の合計値を表すユーザ別表示順序平均合計値（Ｅ）と、前記月別表示順序平均値（Ｄ）をユーザ別表示順序平均合計値（Ｅ）で除算した値を値１から減算した日別表示順序重みを表す日別表示順序重み付け値（Ｆ）の各項目情報を格納する日別アクセス統計テーブルと、
利用者のユーザ名を表すログインユーザ名と、該ユーザがアクセスした月と、ユーザがアクセスしたコンテンツ名を表すＷｅｂコンテンツと、該当月におけるアクセス数を表す日別アクセス数（Ｇ）と、該当のコンテンツに対する該当ユーザの月平均のアクセス数を表す月別ユーザ別アクセス数平均値（Ｈ）と、日別アクセス数（Ｇ）を月別ユーザ別アクセス数平均値（Ｈ）で除算したアクセス数重み値を表す月別アクセス数重み値（Ｉ）と、該当ユーザが当該コンテンツを表示した際の表示順序の平均値を表す月別表示順序平均値（Ｊ）と、ユーザ別表示順序の平均の合計を表すユーザ別表示順序平均合計値（Ｋ）と、月別表示順序平均値（Ｊ）をユーザ別表示順序平均合計値（Ｋ）で除算した値を値１から減算した月別表示順序重み付け値（Ｌ）を格納する月別アクセス統計テーブルと、
利用者のユーザ名を表すログインユーザ名と、該ユーザがアクセスした曜日を表す曜日と、ユーザがアクセスしたコンテンツ名を表すＷｅｂコンテンツと、該当曜日におけるアクセス数を表す曜日別アクセス数（Ｍ）と、該当のコンテンツに対する該当ユーザの曜日別平均のアクセス数を表す曜日別ユーザ別アクセス数平均値（Ｎ）と、曜日別アクセス数（Ｍ）を曜日別ユーザ別アクセス数平均値（Ｎ）で除算したアクセス数重み値を表す曜日別アクセス数重み値（Ｏ）と、該当ユーザが当該コンテンツを表示した際の表示順序の平均値を格納する曜日別表示順序平均（Ｐ）と、ユーザ別表示順序の平均の合計値を表すユーザ別表示順序平均合計値（Ｑ）と、ユーザ別表示順序平均合計値（Ｑ）を曜日別表示順序平均（Ｐ）で除算した値を値１から減算した曜日別表示順序重み付け値（Ｒ）を格納する曜日別アクセス統計テーブルとを含み、
前記ポータルＷｅｂサーバが、第３工程において、日別アクセス統計テーブルに含まれる月別アクセス数重み値（Ｃ）及び日別表示順序重み付け値（Ｆ）と月別アクセス統計テーブルに含まれる月別アクセス数重み値（Ｉ）及び月別表示順序重み付け値（Ｌ）と曜日別アクセス統計テーブルに含まれる曜日別アクセス数重み値（Ｏ）及び曜日別表示順序重み付け値（Ｒ）とを乗算して総合重み付け値を算出することを特徴とする請求項１記載のポータルサイト画面レイアウトカスタマイズシステム。
【請求項３】
ポータルサイトの利用者が使用するＷｅｂブラウザを搭載したクライアントコンピュータとインターネット回線を介して接続され、前記利用者からのアクセス履歴情報を格納するアクセス履歴データベースと、アクセス履歴データベースに格納したアクセス履歴情報に基づき、利用者のログインユーザ名と該利用者がアクセスしたコンテンツを示すアクセスＷｅｂコンテンツと該アクセスＷｅｂコンテンツにアクセスした日付と月と曜日を示す日月曜日とログインから表示したＷｅｂコンテンツ順を示すＷｅｂコンテンツ順序情報とを含む統計情報を格納したアクセス統計データベースと、利用者がアクセスしたＷｅｂサイトのコンテンツを格納するＷｅｂコンテンツデータベースと、前記アクセス統計データベース及びＷｅｂコンテンツデータベースからログインユーザの表示するＷｅｂコンテンツを検索し、Ｗｅｂブラウザに検索したＷｅｂコンテンツを表示するポータルＷｅｂサーバを備えたコンピュータシステムのポータルサイト画面レイアウトカスタマイズ方法であって、
該ポータルＷｅｂサーバに、
ユーザ毎の複数のＷｅｂサイトへログインしたアクセス履歴情報をアクセス履歴データベースに格納する第１工程と、
該アクセス履歴情報に基づいて前記アクセス統計データベースに前記統計情報を格納する第２工程と、
該アクセス統計データベースに格納した統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツデータベースに格納する第３工程と、
利用者がクライアントコンピュータのＷｅｂブラウザを用いてポータルサイトにアクセスしたとき、前記Ｗｅｂコンテンツデータベースを参照し、アクセスされた利用者の前記総合重み付け値の高い順に複数のＷｅｂコンテンツの概要を表示する第４工程とを実行させることを特徴とするポータルサイト画面レイアウトカスタマイズ方法。
【請求項４】
前記アクセス統計データベースに、
利用者のユーザ名を表すログインユーザ名と、該ユーザがアクセスした月を表す月とユーザがアクセスしたコンテンツ名を表すＷｅｂコンテンツと、該当月におけるアクセス数を表す月別アクセス数（Ａ）と、該当のコンテンツに対する該当ユーザの月平均のアクセス数を表す月別ユーザ別アクセス数平均値（Ｂ）と、月別アクセス数（Ａ）を月別ユーザ別アクセス数平均値（Ｂ）で除算したアクセス数重み値を表す月別アクセス数重み値（Ｃ）と、該当ユーザが当該コンテンツを表示した際の月別表示順序平均値（Ｄ）と、ユーザ別表示順序の平均の合計値を表すユーザ別表示順序平均合計値（Ｅ）と、前記月別表示順序平均値（Ｄ）をユーザ別表示順序平均合計値（Ｅ）で除算した値を値１から減算した日別表示順序重みを表す日別表示順序重み付け値（Ｆ）を格納する日別アクセス統計テーブルと、
利用者のユーザ名を表すログインユーザ名と、該ユーザがアクセスした月と、ユーザがアクセスしたコンテンツ名を表すＷｅｂコンテンツと、該当月におけるアクセス数を表す日別アクセス数（Ｇ）と、該当のコンテンツに対する該当ユーザの月平均のアクセス数を表す月別ユーザ別アクセス数平均値（Ｈ）と、日別アクセス数（Ｇ）を月別ユーザ別アクセス数平均値（Ｈ）で除算したアクセス数重み値を表す月別アクセス数重み値（Ｉ）と、該当ユーザが当該コンテンツを表示した際の表示順序の平均値を表す月別表示順序平均値（Ｊ）と、ユーザ別表示順序の平均の合計を表すユーザ別表示順序平均合計値（Ｋ）と、月別表示順序平均値（Ｊ）をユーザ別表示順序平均合計値（Ｋ）で除算した値を値１から減算した月別表示順序重み付け値（Ｌ）を格納する月別アクセス統計テーブルと、
利用者のユーザ名を表すログインユーザ名と、該ユーザがアクセスした曜日を表す曜日と、ユーザがアクセスしたコンテンツ名を表すＷｅｂコンテンツと、該当曜日におけるアクセス数を表す曜日別アクセス数（Ｍ）と、該当のコンテンツに対する該当ユーザの曜日別平均のアクセス数を表す曜日別ユーザ別アクセス数平均値（Ｎ）と、曜日別アクセス数（Ｍ）を曜日別ユーザ別アクセス数平均値（Ｎ）で除算したアクセス数重み値を表す曜日別アクセス数重み値（Ｏ）と、該当ユーザが当該コンテンツを表示した際の表示順序の平均値を格納する曜日別表示順序平均（Ｐ）と、ユーザ別表示順序の平均の合計値を表すユーザ別表示順序平均合計値（Ｑ）と、ユーザ別表示順序平均合計値（Ｑ）を曜日別表示順序平均（Ｐ）で除算した値を値１から減算した曜日別表示順序重み付け値（Ｒ）を格納する曜日別アクセス統計テーブルとを設け、
前記ポータルＷｅｂサーバに、第３工程において、日別アクセス統計テーブルに含まれる月別アクセス数重み値（Ｃ）及び日別表示順序重み付け値（Ｆ）と月別アクセス統計テーブルに含まれる月別アクセス数重み値（Ｉ）及び月別表示順序重み付け値（Ｌ）と曜日別アクセス統計テーブルに含まれる曜日別アクセス数重み値（Ｏ）及び曜日別表示順序重み付け値（Ｒ）とを乗算して総合重み付け値を算出させることを特徴とする請求項３記載のポータルサイト画面レイアウトカスタマイズ方法。
【発明の詳細な説明】
【技術分野】
【０００１】
本発明は、インターネットの入口となる巨大Ｗｅｂサイトであるポータルサイトの画面レイアウトを自動的にカスタマイズすることができるポータルサイト画面レイアウトカスタマイズシステム及びポータルサイト画面レイアウトカスタマイズ方法に関する。
【背景技術】
【０００２】
近年のインターネットにおいては、ポータルサイトと呼ばれるインターネットの入口となる巨大Ｗｅｂサイトが用意され、このポータルサイトから検索エンジン・ニュース・株価などの情報提供サービスや、ブラウザから利用できるＷｅｂメールサービス・電子掲示板・チャットなどのユーザがインターネットで必要とする機能を全て提供して利用者数を増やすことが行われている。
【０００３】
このポータルサイトにはさまざまなＷｅｂコンテンツがあり、ユーザ毎に希望するコンテンツが異なるため、ユーザ毎に頻繁に利用するコンテンツを見やすい位置に表示するようにカスタマイズする機能を有するポータルサイトが知られている。しかし、利用するユーザが自分でレイアウトを変更するのは手間がかかるため、利用頻度が高いＷｅｂコンテンツを画面上部に表示する技術が特許文献１に記載されている。
【０００４】
この特許文献１には、ユーザのブラウジングデータを取得するブラウジングデータ取得部と、ブラウジングデータ格納部のブラウジングデータに基づいてユーザに頻繁に閲覧されるコンテンツを特定するブラウジングデータ解析部と、ポータルページに配置可能なポートレットのコンテンツ対応条件を格納したポートレットコンテンツ対応情報格納部と、ブラウジングデータ解析部によって特定されたコンテンツのうち、ポートレットのコンテンツ対応条件を満たすと判断したコンテンツを参照するよう設定された該ポートレットを表す情報を該コンテンツを閲覧したユーザのポータルページに配置することを推薦する推薦ポートレットとして出力するポートレット推薦部とを設けることによって、ユーザの作業負担なく、ユーザによって高頻度で閲覧されるコンテンツへの入り口となる機能を提供する技術が記載されている。
【先行技術文献】
【特許文献】
【０００５】
【特許文献１】特開２０１３−１６４６６６号公報
【発明の概要】
【発明が解決しようとする課題】
【０００６】
前述の特許文献１記載技術は、ユーザによって高頻度で閲覧されるＷｅｂコンテンツを画面上部に表示することができるものの、特定の時期のみ高頻度でアクセスするコンテンツがある場合や参照順序が定型的になっている場合など必ずしも利用者にとって利用しやすい順序で表示されるとは限らないという課題があった。
【０００７】
本発明の目的は、前述の従来技術による課題を解決しようとするものであり、日月曜日毎の参照時期と参照頻度と参照順序を組合せてユーザが利用するＷｅｂコンテンツを予測して表示することができるポータルサイト画面レイアウトカスタマイズシステム及びポータルサイト画面レイアウトカスタマイズ方法を提供することである。
【課題を解決するための手段】
【０００８】
前記目的を達成するため本発明は、ポータルサイトの利用者が使用するＷｅｂブラウザを搭載したクライアントコンピュータとインターネット回線を介して接続され、前記利用者からのアクセス履歴情報を格納するアクセス履歴データベースと、アクセス履歴データベースに格納したアクセス履歴情報に基づき、利用者のログインユーザ名と該利用者がアクセスしたコンテンツを示すアクセスＷｅｂコンテンツと該アクセスＷｅｂコンテンツにアクセスした日付と月と曜日を示す日月曜日とログインから表示したＷｅｂコンテンツ順を示すＷｅｂコンテンツ順序情報とを含む統計情報を格納したアクセス統計データベースと、利用者がアクセスしたＷｅｂサイトのコンテンツを格納するＷｅｂコンテンツデータベースと、前記アクセス統計データベース及びＷｅｂコンテンツデータベースからログインユーザの表示するＷｅｂコンテンツを検索し、Ｗｅｂブラウザに検索したＷｅｂコンテンツを表示するポータルＷｅｂサーバを備えたコンピュータシステムであって、
該ポータルＷｅｂサーバが、
ユーザ毎の複数のＷｅｂサイトへログインしたアクセス履歴情報をアクセス履歴データベースに格納する第１工程と、
該アクセス履歴情報に基づいて前記アクセス統計データベースに前記統計情報を格納する第２工程と、
該アクセス統計データベースに格納した統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツデータベースに格納する第３工程と、
利用者がクライアントコンピュータのＷｅｂブラウザを用いてポータルサイトにアクセスしたとき、前記Ｗｅｂコンテンツデータベースを参照し、アクセスされた利用者の前記総合重み付け値の高い順に複数のＷｅｂコンテンツの概要を表示する第４工程を実行することを第１の特徴とする。
【０００９】
また、本発明は、第１の特徴のポータルサイト画面レイアウトカスタマイズシステムにおいて、前記アクセス統計データベースが、
利用者のユーザ名を表すログインユーザ名と、該ユーザがアクセスした月を表す月とユーザがアクセスしたコンテンツ名を表すＷｅｂコンテンツと、該当月におけるアクセス数を表す月別アクセス数（Ａ）と、該当のコンテンツに対する該当ユーザの月平均のアクセス数を表す月別ユーザ別アクセス数平均値（Ｂ）と、月別アクセス数（Ａ）を月別ユーザ別アクセス数平均値（Ｂ）で除算したアクセス数重み値を表す月別アクセス数重み値（Ｃ）と、該当ユーザが当該コンテンツを表示した際の月別表示順序平均値（Ｄ）と、ユーザ別表示順序の平均の合計値を表すユーザ別表示順序平均合計値（Ｅ）と、前記月別表示順序平均値（Ｄ）をユーザ別表示順序平均合計値（Ｅ）で除算した値を値１から減算した日別表示順序重みを表す日別表示順序重み付け値（Ｆ）を格納する日別アクセス統計テーブルと、
利用者のユーザ名を表すログインユーザ名と、該ユーザがアクセスした月と、ユーザがアクセスしたコンテンツ名を表すＷｅｂコンテンツと、該当月におけるアクセス数を表す日別アクセス数（Ｇ）と、該当のコンテンツに対する該当ユーザの月平均のアクセス数を表す月別ユーザ別アクセス数平均値（Ｈ）と、日別アクセス数（Ｇ）を月別ユーザ別アクセス数平均値（Ｈ）で除算したアクセス数重み値を表す月別アクセス数重み値（Ｉ）と、該当ユーザが当該コンテンツを表示した際の表示順序の平均値を表す月別表示順序平均値（Ｊ）と、ユーザ別表示順序の平均の合計を表すユーザ別表示順序平均合計値（Ｋ）と、月別表示順序平均値（Ｊ）をユーザ別表示順序平均合計値（Ｋ）で除算した値を値１から減算した月別表示順序重み付け値（Ｌ）を格納する月別アクセス統計テーブルと、
利用者のユーザ名を表すログインユーザ名と、該ユーザがアクセスした曜日を表す曜日と、ユーザがアクセスしたコンテンツ名を表すＷｅｂコンテンツと、該当曜日におけるアクセス数を表す曜日別アクセス数（Ｍ）と、該当のコンテンツに対する該当ユーザの曜日別平均のアクセス数を表す曜日別ユーザ別アクセス数平均値（Ｎ）と、曜日別アクセス数（Ｍ）を曜日別ユーザ別アクセス数平均値（Ｎ）で除算したアクセス数重み値を表す曜日別アクセス数重み値（Ｏ）と、該当ユーザが当該コンテンツを表示した際の表示順序の平均値を格納する曜日別表示順序平均（Ｐ）と、ユーザ別表示順序の平均の合計値を表すユーザ別表示順序平均合計値（Ｑ）と、ユーザ別表示順序平均合計値（Ｑ）を曜日別表示順序平均（Ｐ）で除算した値を値１から減算した曜日別表示順序重み付け値（Ｒ）を格納する曜日別アクセス統計テーブルとを含み、
前記ポータルＷｅｂサーバが、第３工程において、日別アクセス統計テーブルに含まれる月別アクセス数重み値（Ｃ）及び日別表示順序重み付け値（Ｆ）と月別アクセス統計テーブルに含まれる月別アクセス数重み値（Ｉ）及び月別表示順序重み付け値（Ｌ）と曜日別アクセス統計テーブルに含まれる曜日別アクセス数重み値（Ｏ）及び曜日別表示順序重み付け値（Ｒ）とを乗算して総合重み付け値を算出することを第２の特徴とする。
【００１０】
さらに、本発明は、ポータルサイトの利用者が使用するＷｅｂブラウザを搭載したクライアントコンピュータとインターネット回線を介して接続され、前記利用者からのアクセス履歴情報を格納するアクセス履歴データベースと、アクセス履歴データベースに格納したアクセス履歴情報に基づき、利用者のログインユーザ名と該利用者がアクセスしたコンテンツを示すアクセスＷｅｂコンテンツと該アクセスＷｅｂコンテンツにアクセスした日付と月と曜日を示す日月曜日とログインから表示したＷｅｂコンテンツ順を示すＷｅｂコンテンツ順序情報とを含む統計情報を格納したアクセス統計データベースと、利用者がアクセスしたＷｅｂサイトのコンテンツを格納するＷｅｂコンテンツデータベースと、前記アクセス統計データベース及びＷｅｂコンテンツデータベースからログインユーザの表示するＷｅｂコンテンツを検索し、Ｗｅｂブラウザに検索したＷｅｂコンテンツを表示するポータルＷｅｂサーバを備えたコンピュータシステムのポータルサイト画面レイアウトカスタマイズ方法であって、
該ポータルＷｅｂサーバに、
ユーザ毎の複数のＷｅｂサイトへログインしたアクセス履歴情報をアクセス履歴データベースに格納する第１工程と、
該アクセス履歴情報に基づいて前記アクセス統計データベースに前記統計情報を格納する第２工程と、
該アクセス統計データベースに格納した統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツデータベースに格納する第３工程と、
利用者がクライアントコンピュータのＷｅｂブラウザを用いてポータルサイトにアクセスしたとき、前記Ｗｅｂコンテンツデータベースを参照し、アクセスされた利用者の前記総合重み付け値の高い順に複数のＷｅｂコンテンツの概要を表示する第４工程とを実行させることを第３の特徴とする。
【００１１】
また、本発明は、第３の特徴のポータルサイト画面レイアウトカスタマイズ方法において、前記アクセス統計データベースに、
利用者のユーザ名を表すログインユーザ名と、該ユーザがアクセスした月を表す月とユーザがアクセスしたコンテンツ名を表すＷｅｂコンテンツと、該当月におけるアクセス数を表す月別アクセス数（Ａ）と、該当のコンテンツに対する該当ユーザの月平均のアクセス数を表す月別ユーザ別アクセス数平均値（Ｂ）と、月別アクセス数（Ａ）を月別ユーザ別アクセス数平均値（Ｂ）で除算したアクセス数重み値を表す月別アクセス数重み値（Ｃ）と、該当ユーザが当該コンテンツを表示した際の月別表示順序平均値（Ｄ）と、ユーザ別表示順序の平均の合計値を表すユーザ別表示順序平均合計値（Ｅ）と、前記月別表示順序平均値（Ｄ）をユーザ別表示順序平均合計値（Ｅ）で除算した値を値１から減算した日別表示順序重みを表す日別表示順序重み付け値（Ｆ）を格納する日別アクセス統計テーブルと、
利用者のユーザ名を表すログインユーザ名と、該ユーザがアクセスした月と、ユーザがアクセスしたコンテンツ名を表すＷｅｂコンテンツと、該当月におけるアクセス数を表す日別アクセス数（Ｇ）と、該当のコンテンツに対する該当ユーザの月平均のアクセス数を表す月別ユーザ別アクセス数平均値（Ｈ）と、日別アクセス数（Ｇ）を月別ユーザ別アクセス数平均値（Ｈ）で除算したアクセス数重み値を表す月別アクセス数重み値（Ｉ）と、該当ユーザが当該コンテンツを表示した際の表示順序の平均値を表す月別表示順序平均値（Ｊ）と、ユーザ別表示順序の平均の合計を表すユーザ別表示順序平均合計値（Ｋ）と、月別表示順序平均値（Ｊ）をユーザ別表示順序平均合計値（Ｋ）で除算した値を値１から減算した月別表示順序重み付け値（Ｌ）を格納する月別アクセス統計テーブルと、
利用者のユーザ名を表すログインユーザ名と、該ユーザがアクセスした曜日を表す曜日と、ユーザがアクセスしたコンテンツ名を表すＷｅｂコンテンツと、該当曜日におけるアクセス数を表す曜日別アクセス数（Ｍ）と、該当のコンテンツに対する該当ユーザの曜日別平均のアクセス数を表す曜日別ユーザ別アクセス数平均値（Ｎ）と、曜日別アクセス数（Ｍ）を曜日別ユーザ別アクセス数平均値（Ｎ）で除算したアクセス数重み値を表す曜日別アクセス数重み値（Ｏ）と、該当ユーザが当該コンテンツを表示した際の表示順序の平均値を格納する曜日別表示順序平均（Ｐ）と、ユーザ別表示順序の平均の合計値を表すユーザ別表示順序平均合計値（Ｑ）と、ユーザ別表示順序平均合計値（Ｑ）を曜日別表示順序平均（Ｐ）で除算した値を値１から減算した曜日別表示順序重み付け値（Ｒ）を格納する曜日別アクセス統計テーブルとを設け、
前記ポータルＷｅｂサーバに、第３工程において、日別アクセス統計テーブルに含まれる月別アクセス数重み値（Ｃ）及び日別表示順序重み付け値（Ｆ）と月別アクセス統計テーブルに含まれる月別アクセス数重み値（Ｉ）及び月別表示順序重み付け値（Ｌ）と曜日別アクセス統計テーブルに含まれる曜日別アクセス数重み値（Ｏ）及び曜日別表示順序重み付け値（Ｒ）とを乗算して総合重み付け値を算出させることを第４の特徴とする。
【発明の効果】
【００１２】
本発明によるポータルサイト画面レイアウトカスタマイズシステム及びポータルサイト画面レイアウトカスタマイズ方法は、ポータルＷｅｂサーバが、ユーザ毎の複数のＷｅｂサイトへログインしたアクセス履歴情報をアクセス履歴データベースに格納する第１工程と、該アクセス履歴情報に基づいてアクセス統計データベースに統計情報を格納する第２工程と、該アクセス統計データベースに格納した統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツデータベースに格納する第３工程と、利用者がクライアントコンピュータのＷｅｂブラウザを用いてポータルサイトにアクセスしたとき、前記Ｗｅｂコンテンツデータベースを参照し、アクセスされた利用者の前記総合重み付け値の高い順に複数のＷｅｂコンテンツの概要を表示する第４工程とを実行することによって、日月曜日毎の参照時期と参照頻度と参照順序を組合せてユーザが利用するＷｅｂコンテンツを予測して表示することができる。
【図面の簡単な説明】
【００１３】
【図１】本発明の実施形態によるポータルサイト画面レイアウトカスタマイズシステムを含むコンピュータシステムを示す図。
【図２】本実施形態によるアクセス履歴ＤＢの登録データを示す図。
【図３】本実施形態によるユーザＡのアクセス順序例を示す図。
【図４】本実施形態によるＷｅｂコンテンツＤＢの登録データを示す図。
【図５】本実施形態によるアクセス統計ＤＢの月別アクセス統計テーブルを示す図。
【図６】本施形態によるアクセス統計ＤＢの日別アクセス統計テーブルを示す図。
【図７】本実施形態によるアクセス統計ＤＢの曜日別アクセス統計テーブルを示す図。
【図８】本実施形態によるユーザＡの表示対象のＷｅｂコンテンツを示す図。
【図９】本実施形態によるポータルサイトの画面を示す図。
【図１０】本実施形態によるポータルサイト画面を示す図。
【発明を実施するための形態】
【００１４】
以下、本発明によるポータルサイト画面レイアウトカスタマイズ方法を実現するポータルサイト画面レイアウトカスタマイズシステムの一実施形態を図面を参照して詳細に説明する。
［構成］
本実施形態によるポータルサイト画面レイアウトカスタマイズシステムを構成するコンピュータシステムは、図１に示す如く、ポータルサイトの利用者が使用するＷｅｂブラウザ２を搭載したクライアントＰＣ（コンピュータ）１とインターネット回線を介して接続され、前記利用者からのアクセス履歴情報を格納するアクセス履歴ＤＢ（データベース）７と、該アクセス履歴ＤＢ７に格納した利用者毎のアクセス履歴情報を集計した統計情報を算出する統計処理部８と、該統計処理部８が集計したアクセス履歴情報を格納するアクセス統計ＤＢ５と、利用者がアクセスしたＷｅｂサイトのコンテンツを格納するＷｅｂコンテンツＤＢ６と、前記アクセス統計ＤＢ５及びＷｅｂコンテンツＤＢ６からログインユーザの表示するＷｅｂコンテンツを検索し、Ｗｅｂブラウザ２に検索したＷｅｂコンテンツを表示するポータルＷｅｂサーバ４とを備えたポータルＷｅｂシステム３により構成される。
【００１５】
前記アクセス履歴ＤＢ７は、図２に示す如く、利用者名であるログインユーザ名欄２０１と、該利用者がアクセスしたコンテンツを示すＷｅｂコンテンツ欄２０２と、該コンテンツをアクセスした年月日時刻曜日を示す日時刻曜日欄２０４〜２０９と、ログインからのアクセス順により表示した順序を示す順序欄２１０との各項目情報とから構成され、例えば、ユーザＡが、２０１４年３月２０日木曜日の１０時２７分４３秒から１０時４８分１２秒の間にＡコンテンツ〜Ｃコンテンツの順にアクセスして表示したことを格納し、このアクセス履歴情報は、図３に示す如く、利用者が、ポータルサイトへログインするステップ３０１と、Ａコンテンツを表示するステップ３０２と、Ｂコンテンツを表示するステップ３０３と、Ｃコンテンツを表示するステップ３０４と、ポータルサイトからログオフするステップ３０５とを監視することによって登録される。
【００１６】
前記ＷｅｂコンテンツＤＢ６は、ユーザ毎にアクセス可能なＷｅｂコンテンツを設定するものであって、図４に示す如く、ログインした利用者を一意に表すユーザ名を示すログインユーザ名欄４０１と、このユーザがログインしたＷｅｂコンテンツ名を示すＷｅｂコンテンツ欄４０２との各項目情報とから成り、図示の例では、ユーザＡが、Ａコンテンツ４０３、Ｂコンテンツ４０４、Ｃコンテンツ４０５、Ｄコンテンツ４０６、Ｅコンテンツ４０７にアクセス可能な情報を格納している。
【００１７】
前記アクセス統計ＤＢ５は、図５に示す月別のアクセス統計テーブルと、図６に示す日別のアクセス統計テーブルと、図７に示す曜日別のアクセス統計テーブルとを格納し、前記月別のアクセス統計テーブルは、図５に示す如く、符号５０１で示す利用者のユーザ名を表すログインユーザ名と、符号５０２で示す該当ユーザがアクセスした月を表す月と、符号５０３で示す該当ユーザがアクセスしたコンテンツ名を表すＷｅｂコンテンツと、符号５０４で示す該当月におけるアクセス数を表す月別アクセス数（Ａ）と、符号５０５で示す該当のコンテンツに対する該当ユーザの月平均のアクセス数を表す月別ユーザ別アクセス数平均値（Ｂ）と、月別アクセス数（Ａ）を月別ユーザ別アクセス数平均値（Ｂ）で除算したアクセス数重み値（符号５０６）を表す月別アクセス数重み値（Ｃ）と、符号５０７で示す該当ユーザが当該コンテンツを表示した際の月別表示順序平均値（Ｄ）と、符号５０８で示すユーザ別表示順序の平均の合計値であるユーザ別表示順序平均合計値（Ｅ）と、前記月別表示順序平均値（Ｄ）をユーザ別表示順序平均合計値（Ｅ）で除算した値を値１から減算した符号５０９で示す日別表示順序重みである日別表示順序重み付け値（Ｆ）の各項目情報を含むように構成されている。
【００１８】
前記日別アクセス統計テーブルは、図６に示す如く、符号６０１で示す利用者のユーザ名を表すログインユーザ名と、符号６０２で示す該ユーザがアクセスした日と、符号６０３で示すユーザがアクセスしたコンテンツ名を表すＷｅｂコンテンツと、符号６０４で示す該当日におけるアクセス数を表す日別アクセス数（Ｇ）と、符号６０５で示す該当のコンテンツに対する該当ユーザの日平均のアクセス数を表す月別ユーザ別アクセス数平均値（Ｈ）と、日別アクセス数（Ｇ）を日別ユーザ別アクセス数平均値（Ｈ）で除算したアクセス数重み値を符号６０６で示す日別アクセス数重み値（Ｉ）と、該当ユーザが当該コンテンツを表示した際の表示順序の平均値を符号６０７で示す日別表示順序平均値（Ｊ）と、ユーザ別表示順序の平均の合計を符号６０８で示すユーザ別表示順序平均合計値（Ｋ）と、月別表示順序平均値（Ｊ）をユーザ別表示順序平均合計値（Ｋ）で除算した値を値１から減算した符号６０９で示す日別表示順序重み付け値（Ｌ）とを含むように構成されている。
【００１９】
前記曜日別アクセス統計テーブルは、図７に示す如く、符号７０１で示す利用者のユーザ名を表すログインユーザ名と、符号７０２で示す該ユーザがアクセスした曜日を表す曜日と、符号７０３で示すユーザがアクセスしたコンテンツ名を表すＷｅｂコンテンツと、符号７０４で示す該当曜日におけるアクセス数を表す曜日別アクセス数（Ｍ）と、該当のコンテンツに対する該当ユーザの曜日別平均のアクセス数を符号７０５で示す曜日別ユーザ別アクセス数平均値（Ｎ）と、曜日別アクセス数（Ｍ）を曜日別ユーザ別アクセス数平均値（Ｎ）で除算したアクセス数重み値を符号７０６で示す曜日アクセス数重み値（Ｏ）と、該当ユーザが当該コンテンツを表示した際の表示順序の平均値を符号７０７で示す曜日別表示順序平均（Ｐ）と、ユーザ別表示順序の平均の合計値を符号７０８で示すユーザ別表示順序平均合計値（Ｑ）と、符号７０９で示すユーザ別表示順序平均合計値（Ｑ）を曜日別表示順序平均（Ｐ）で除算した値を値１から減算した曜日別表示順序重み付け値（Ｒ）とを含むように構成されている。
【００２０】
前記ＷｅｂコンテンツＤＢ６は、ユーザ別のコンテンツ毎の重み付け値を格納するものであって、図８に示す如く、ユーザ名を表すログインユーザ名欄８０１と、該ユーザがアクセスしたコンテンツ名を表すＷｅｂコンテンツ欄８０２と、前記各テーブルに格納した月・日・曜日別のアクセス数重み値と月・日・曜日別の表示順序重み付け値とを乗算した総合重み値欄８０３とを格納するものであって、図示の例では、ユーザＡのＡコンテンツに対する総合重み値が符号８０４で示す「１．７」、Ｂコンテンツに対する総合重み値が符号８０５で示す「２．０」、Ｃコンテンツに対する総合重み値が符号８０６で示す「０．４」、Ｄコンテンツに対する総合重み値が符号８０７で示す「０．１」、Ｅコンテンツに対する総合重み値が符号８０８で示す「０．１」であることを格納している。即ち、本実施形態によるＷｅｂコンテンツＤＢ６は、ユーザ毎の月と日付と曜日毎のアクセス数重み値とを総合した総合重み付け値を格納することによって、例えば、ユーザＡの最も頻繁且つ優先的にアクセスするコンテンツが総合重み値「２．０」のＢコンテンツであり、次ぐコンテンツが総合重み値「１．７」のＡコンテンツであることを表している。
【００２１】
［動作］
本実施形態によるポータルサイト画面レイアウトカスタマイズシステムを構成するコンピュータシステムは、図３に示した処理手順によってユーザ毎の複数のＷｅｂサイトへログインしたアクセス履歴情報をアクセス履歴ＤＢ７に格納し、統計処理部８が該アクセス履歴情報に基づいてユーザ・月・日・曜日毎の統計処理を行って月別アクセス統計テーブルと日別アクセス統計テーブルと曜日別アクセス統計テーブルとを格納し、これら月別アクセス統計テーブルと日別アクセス統計テーブルと曜日別アクセス統計テーブルに基づいたユーザ毎の月と日付と曜日毎のアクセス数重み値とを総合した総合重み付け値をＷｅｂコンテンツＤＢ６に格納した状態において、ユーザがＷｅｂブラウザ２を用いてポータルＷｅｂシステム３にアクセスしたとき、ポータルＷｅｂサーバ４は、ログインユーザ名及び現在日時に基づいて前記ＷｅｂコンテンツＤＢ６の登録データとアクセス統計ＤＢ５の月別アクセス統計テーブルと日別アクセス統計テーブルと曜日別アクセス統計テーブルを検索し、表示するＷｅｂコンテンツを求める。例えば、現在日時が２０１４年３月２０日（水）、ログインユーザ名がユーザＡの場合、表示対象のＷｅｂコンテンツは図８に示したユーザＡの表示対象のＷｅｂコンテンツを求める。
【００２２】
次いで、本実施形態によるポータルＷｅｂサーバ４は、前記取得したユーザＡの表示対象のＷｅｂコンテンツに基づいて図９に示す如く表示画面上に、左上からＢコンテンツとＡコンテンツとＣコンテンツとＤコンテンツとＥコンテンツとＦコンテンツとを総合重み値が大きい順に各Ｗｅｂコンテンツの概要を表示し、操作者が、例えばＡコンテンツをクリックしたとき、図１０に示す如く該Ａコンテンツの詳細を表示し、このＡコンテンツの詳細を表示した時点でアクセス履歴ＤＢ７にアクセス履歴を登録するように動作することによって、日月曜日毎の参照時期と参照頻度と参照順序を組合せてユーザが利用するＷｅｂコンテンツを予測して表示する。
【００２３】
このように本実施形態によるポータルサイト画面レイアウトカスタマイズシステム及びポータルサイト画面レイアウトカスタマイズ方法は、ポータルサイトの利用者が使用するＷｅｂブラウザを搭載したクライアントＰＣ（コンピュータ）とインターネット回線を介して接続され、前記利用者からのアクセス履歴情報を格納するアクセス履歴データベースと、アクセス履歴データベースに格納したアクセス履歴情報に基づき、利用者のログインユーザ名と該利用者がアクセスしたコンテンツを示すアクセスＷｅｂコンテンツと該アクセスＷｅｂコンテンツにアクセスした日付と月と曜日を示す日月曜日とログインから表示したＷｅｂコンテンツ順を示すＷｅｂコンテンツ順序情報とを含む統計情報を格納したアクセス統計データベースと、利用者がアクセスしたＷｅｂサイトのコンテンツを格納するＷｅｂコンテンツデータベースと、前記アクセス統計データベース及びＷｅｂコンテンツデータベースからログインユーザの表示するＷｅｂコンテンツを検索し、Ｗｅｂブラウザに検索したＷｅｂコンテンツを表示するポータルＷｅｂサーバを備えたコンピュータシステムであって、該ポータルＷｅｂサーバが、ユーザ毎の複数のＷｅｂサイトへログインしたアクセス履歴情報をアクセス履歴データベースに格納する第１工程と、該アクセス履歴情報に基づいて前記アクセス統計データベースに前記統計情報を格納する第２工程と、該アクセス統計データベースに格納した統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出してＷｅｂコンテンツデータベースに格納する第３工程と、利用者がクライアントコンピュータのＷｅｂブラウザを用いてポータルサイトにアクセスしたとき、前記Ｗｅｂコンテンツデータベースを参照し、アクセスされた利用者の前記総合重み付け値の高い順に複数のＷｅｂコンテンツの概要を表示する第４工程とを実行することによって、日月曜日毎の参照時期と参照頻度と参照順序を組合せてユーザが利用するＷｅｂコンテンツを予測して表示することができる。
【００２４】
なお、前記実施形態においては、統計情報のログインユーザ名とアクセスＷｅｂコンテンツと日月曜日とＷｅｂコンテンツ順序情報とを含む統計情報を参照し、ユーザ毎の日別のアクセス頻度及び表示順序と月別のアクセス頻度及び表示順序と曜日別のアクセス頻度及び表示順序が高い順に重み付けした総合重み付け値を算出する例を説明したが、本発明はこれに限られるものではなく、例えば、アクセス時刻・アクセス季節（春夏秋冬）・季節のイベント（正月・節句・黄金週間・お盆・クリスマス他）を重み付けのファクターとして加えても良い。
【符号の説明】
【００２５】
２  Ｗｅｂブラウザ、３  ポータルＷｅｂシステム、４  ポータルＷｅｂサーバ、
５  アクセス統計ＤＢ、６  ＷｅｂコンテンツＤＢ、７  アクセス履歴ＤＢ、
８  統計処理部
【図１】
2016051346.tif 000003
【図２】
2016051346.tif 000004
【図３】
2016051346.tif 000005
【図４】
2016051346.tif 000006
【図５】
2016051346.tif 000007
【図６】
2016051346.tif 000008
【図７】
2016051346.tif 000009
【図８】
2016051346.tif 000010
【図９】
2016051346.tif 000011
【図１０】
2016051346.tif 000012